(57)【要約】【目的】装着したコイン形またはボタン形電池を容易に取り出すことができる電池カバー及び該電池カバーを用いた電池収納ケースを提供する。【構成】本発明の電池カバー１は、コイン形またはボタン形電池１１の直径とほぼ同じ直径を有する横断面が台形の底部４と、横断面が台形の底部４上にコイン形またはボタン形電池１１を載置した場合に、該電池の上部とほぼ同じ高さとなる壁面を有する筒状体２と、該筒状体２の内壁と外壁との間に架設された端子３とからなる。電池１１を取り出す場合は、電池１１の一端を指で押圧すると、該電池１１は角度Ｘに傾くので、該電池１１の押圧位置に対応する他の一端が上方へ持ち上がり、容易に指でつまんで取り出すことができる。【選択図】    図３
2004311298.tif 000002
【特許請求の範囲】
【請求項１】
コイン形またはボタン形電池底面の中心部を局部的に支える突起状の底部と、
該突起状の底部にコイン形またはボタン形電池を載置した場合に、該電池の上部とほぼ同じ高さとなる壁面を有する筒状体と、
該筒状体内壁と外壁との間に架設された端子と、
からなることを特徴とするコイン形またはボタン形電池の電池カバー。
【請求項２】
前記突起状の底部は、円柱状、截頭円錐体、または、横断面台形状の中心軸から放射状に延びるリブから形成されたものであることを特徴とする請求項１に記載のコイン形またはボタン形電池の電池カバー。
【請求項３】
コイン形またはボタン形電池底面の中心部を局部的に支える突起状の底部と、
該突起状の底部にコイン形またはボタン形電池を載置した場合に、該電池の上部とほぼ同じ高さとなる壁面を有する筒状体と、
該筒状体内壁と外壁との間に架設された端子と、
からなるコイン形またはボタン形電池の電池カバーと、
端子が配設された電池ホルダとからなり、
前記電池カバーが該電池ホルダに着脱自在に装着されるようになされていることを特徴とする電池収納ケース。
【請求項４】
前記突起状の底部は、円柱状、截頭円錐体、または、横断面台形状の中心軸から放射状に延びるリブから形成されたものであることを特徴とする請求項３に記載のコイン形またはボタン形電池の電池収納ケース。
【発明の詳細な説明】
【０００１】
【発明の属する技術分野】
本発明は、コイン形又はボタン形電池の電池カバー及び該電池カバーを用いた電池収納ケースに関し、特にコイン形またはボタン形電池を容易に固定及び取り出すことができる電池カバー及び該電池カバーを用いた電池収納ケースに関する。
【０００２】
【従来の技術】
従来、コイン形またはボタン形電池は小型、薄型、軽量であるため、小型電子機器用の電池として多用されてきた。一般に電子機器におけるコイン形またはボタン形電池の収納構造としては、電池カバー内にコイン形またはボタン形電池を装着し、この電池を取り付けた電池カバーを、所定の機器に固定された電池ホルダに着脱自在に装着する形式の電池収納ケースが多く使用されている。この電池カバーの周壁は電池の収納状態を安定させるために、収納された電池の上部位置とほぼ同じ高さになるように形成されている。
【０００３】
しかし、かかる電池収納ケースにコイン形またはボタン形電池を収納した後、電池交換の必要が生じた場合に、所定の機器に固定された電池ホルダから電池カバーを取り出し、該電池カバーから電池を取り出すことが必要となるが、該電池カバーにおいて電池の上部位置とほぼ同じ高さ壁面によって電池の周囲全体が覆われているため、電池を取り出そうとしても取り出すことが困難である。また、電池の周囲全体が覆われていなくても、コイン形またはボタン形電池は小型、薄型、軽量であるため指を使ってうまく取り出せないことが多い。そこで、従来、電池の取り出しを容易化するための電池カバーが種々提供されてきた。
【０００４】
例えば、ろ過カ−トリッジの交換時期を使用者に表示する浄水器においては、その交換時期を知らせるために液晶パネルや発光ダイオードを駆動させる場合などの電源として電池を用いる必要があるが、浄水器の小型化に伴い、コイン形またはボタン形電池が多く用いられるようになってきた。例えば、下記特許文献１には、浄水器の電池カバーとして、この内部に取り付けられたコイン形またはボタン形電池を指を引っかけて取り外すことができるようになすための切り欠きを設けた（以下「切り欠き構造」という。）ものが開示されている。以下、この特許文献１に開示されている浄水器の電池カバーについて図５を用いて説明する。
【０００５】
図５は、浄水器に使用されている電池収納ケース５０の分解斜視図である。この電池収納ケース５０は、切り欠き構造５１を有する電池カバー５２及び電池ホルダ５３を有し、電池カバー５２はバヨネット機構５４及びＯリング５５により電池ホルダ５３に取り外し可能に取り付けられるようになっている。コイン形又はボタン形の電池５６を取り付ける場合には、まずこの電池５６を電池カバー５２内に取り付けた後、この電池カバー５２を電池５６と共にバヨネット機構５４により電池ホルダ５３に装着するようになされている。
この電池カバー５０に装着されたコイン形またはボタン形電池を交換する必要が生じた場合は、まず該電池カバー５２を電池ホルダ５３からバヨネット機構により離脱させ、次に該電池カバー５２の壁面に設けられた切り欠き構造５１の凹部から該電池の外周側面の一部に直接指を引っかけて電池を取り出すものである。これによれば、電池外周側面全体が電池の上部位置とほぼ同じ高さの壁面によって覆われている場合であっても、該電池の外周側面の一部に直接触れることができるため、ある程度電池の取出しが容易となる。
【０００６】
【特許文献１】
特開２００３−１０８４０号公報（４頁、図１１）
【０００７】
【発明が解決しようとする課題】
しかしながら、上記特許文献１に記載された切り欠き構造では、切り欠き構造の凹部から見える電池の外周側面に指を引っかけて電池を取り出そうとする場合、電池表面はステンレススチールなどの金属でできているので表面が滑らかであるため、指が滑ってうまく取り出せないか、或いは、電池表面に指を引っかけることができた場合でも、すぐに引っかけた指が滑って外れてしまうことが多く、また、外れる瞬間に必要以上の圧力が加わり指ではずそうとする方向に電池が飛び出し、更には、電池が床などに転げ落ちてしまうという問題点があった。
【０００８】
本発明者は、上述のような従来の壁面に切り欠き構造を有する電池収納カバーの問題点を解消すべく種々実験を重ねた結果、コイン形またはボタン形電池が載置される電池収納カバーの底部中心部に支点を設けて、該支点に支えられてシーソー様に該電池が傾動するようになすことにより、壁面に切り欠き構造を設けなくても容易にコイン形またはボタン形電池をつまんで取り出すことができ、従来例のように、該電池の外周側面に指がうまく引っかからずに取り出せなかったり、勢いあまって飛び出して床に転がってしまうような事態を回避できることを見出し本発明を完成するに至ったものである。
【０００９】
従って、本発明の目的は、コイン形またはボタン形電池を交換する必要がある場合に、容易に電池を取り出して交換できるようになしたコイン形又はボタン形電池の電池カバー及び該電池カバーを用いた電池収納ケースを提供することにある。
【００１０】
【課題を解決するための手段】
上記の目的は、以下の構成により達成できる。
本発明のコイン形またはボタン形電池の電池カバーは、コイン形またはボタン形電池底面の中心部を局部的に支える突起状の底部と、該突起状の底部にコイン形またはボタン形電池を載置した場合に、該電池の上部とほぼ同じ高さとなる壁面を有する筒状体と、該筒状体内壁と外壁との間に架設された端子と、からなることを特徴とする。本発明の電池カバーは、このような構成を備えることにより、電池カバー内に載置されたコイン形またはボタン形電池を取り出す場合、この電池を指で押すことにより簡単に傾けることができるので、その取り出しが容易となる。
【００１１】
前記突起状の底部は、円柱状、截頭円錐体、または、横断面台形状の中心軸から放射状に延びるリブから形成されたものであることが好ましい。このような構成であれば、当業者が容易にかつ簡単な方法で突起状の底部を設けることができる。
【００１２】
更に、本発明のコイン形またはボタン形電池の電池収納ケースは、コイン形またはボタン形電池底面の中心部を局部的に支える突起状の底部と、該突起状の底部にコイン形またはボタン形電池を載置した場合に、該電池の上部とほぼ同じ高さとなる壁面を有する筒状体と、該筒状体内壁と外壁との間に架設された端子と、からなるコイン形又はボタン形電池の電池カバーと、端子が配設された電池ホルダとからなり、前記電池カバーが該電池ホルダに着脱自在に装着されるようになされていることを特徴とする。本発明の電池ホルダは、所定の形状の電池カバーと組み合わされているので、容易にコイン形またはボタン形電池を交換することができるようになる。
【００１３】
前記突起状の底部は、円柱状、截頭円錐体、または、横断面台形状の中心軸から放射状に延びるリブから形成されたものであることが好ましい。このような構成であれば、当業者が容易にかつ簡単な方法で突起状の底部からなる電池カバーを製造することができるようになるので、容易に本発明の電池収納ケースを作製することができるようになる。
【００１４】
【発明の実施の形態】
以下、本発明に係るコイン形またはボタン形電池（以下単に「電池」という。）の電池収納ケースについて図面を参照して説明する。なお、本発明は、図面に記載された形態に限定されることなく、特許請求の範囲に記載された発明の範囲で種々の変更が可能であり、それらも本発明に包含されることは言うまでもない。
【００１５】
図１および図２は、本発明の一実施の形態である電池収納ケースを示し、図１は、本発明の第１の実施形態である電池カバー１の平面図、図２は該電池カバー１の断面図を示し、図２（Ａ）は図１のＡ−Ａ線断面図、図２（Ｂ）は電池を装着した状態の同じくＡ−Ａ線断面図である。
【００１６】
この電池カバー１の筒状体２は、壁面に切り欠き構造はなく、また該電池カバー１には、２つの隙間７が設けられ、端子３が該２つの隙間７を通って内壁から外壁、外壁から内壁の順にＵ字状に配設されている。この端子３は、該電池カバー１が電池ホルダ２０（図４参照）に装着された場合に、電池を該電池ホルダ２０に内設された端子２１及び２２のうちの端子２１と電気的に接続させるためのものである。
【００１７】
電池カバー１の底部４は、図２（Ａ）及び（Ｂ）に示したように、断面台形状をなし、電池とほぼ同じ直径を有している。この例では、横方向から見た場合に、台形状に見えるような、その中心軸５からほぼ同角に放射状に延びる３枚以上のリブ６で形成されている。このリブ６は、電池の安定的保持および以下に詳細に述べられているように電池の取り外しを容易にするためのものであり、少なくとも３枚あればよい。また、この底部を円錐体の頂部を切り欠いた截頭円錐体で形成することも可能である。
【００１８】
この場合、電池カバー１の筒状体２は、図２（Ｂ）に示したように、断面台形状の底部４に電池１１を載置した場合に、該載置状態の電池１１の上部とほぼ同じ高さとなるように形成されている。すなわち、かかる構成により電池１１の外周側面は該筒状体２の壁面により覆われ、電池１１の上部が該筒状体２の上辺とほぼ同一平面に現われることとなる。
【００１９】
電池カバー１には、図２（Ａ）及び（Ｂ）に示したように、該電池カバー１の筒状体２の外周に凹部８を設け、図示しないＯリングを装着するようになしてもよい。これにより、電池カバー１が電池ホルダ２０に装着されたとき水密に固着することができる。また、電池カバー１の底部４に対向する表面には、電池ホルダ２０から電池カバー１を容易に離脱させるために、硬貨等を係止して回すための凹部９を設けることも可能である。
【００２０】
図３は電池１１の上部の一端が指により押圧された状態を示す断面図である。
すなわち、電池１１は、図３に示したように、電池カバー１の横断面が台形状の底部４上に載置されているので、該電池１１の上部の一端が指により押圧されると、該電池１１の押圧位置に対応する他の一端が上方へ持ち上がる。この際、横断面が台形状の底部４の上側の角部１２が電池１１の底面の所定位置に接して支点が形成され、電池１１は、該支点に支えられて、シーソー様に傾動される。
【００２１】
また、電池１１の外周側面は該壁面より覆われているため、指は、電池１１の上部平面に対して指先が概略垂直に下降して押圧される。一方、上記シーソー様に傾動された電池１１の底面は、該横断面が台形状の底部４の傾斜面または辺に当接された位置で静止される。また、該横断面が台形状の底部４の傾斜は、電池１１の押圧位置に対応する一端側の底部が電池カバー１の壁面上端より同一かやや高い位置となるような角度Ｘに傾斜していることが望ましい。
【００２２】
すなわち、傾動された電池１１を取り易くするため、該電池１１の底部４と電池カバー１の壁面上端との間に、指先が十分入る程度の隙間を形成させようにする場合、電池カバー１の横断面が台形状の底部４の高さに限りがあるため傾斜させる角度Ｘにも限界がある。しかしながらこの場合であっても、横断面が台形状の底部４をその中心軸からほぼ同角に放射状に延びる３枚以上のリブ６が形成されることにより、十分な角度Ｘの傾斜を得ることができる。すなわち、電池１１は、２つの台形の角部１２が支点となって、２枚のリブ６の間に入るように傾動させることができるので、該電池１１の押圧位置側の一端を、該横断面が台形状の底部４の傾斜面または辺に当接する位置を超えて、電池カバーの底面に向かって押し込むことができ、その結果、該電池１１の対応する他の一端は電池カバー１の壁面上端を越えて上方に突き出るので、電池１１を指でつまんで容易に取り出すことが可能となる。
【００２３】
図４は本発明の電池収納ケースで使用する電池ホルダ２０の一態様を示す図であり、図４（Ａ）は平面図、図４（Ｂ）は図４（Ａ）のＡ−Ａ線断面図である。この電池ホルダ２０には、図１〜図３に示したような電池カバー１がバヨネット機構などの公知の機構により脱着自在に装着されるようになっている。従って、コイン形又はボタン形の電池１１を取り付ける場合には、まずこの電池１１を電池カバー１内に取り付けた後、この電池カバー１を電池１１と共にバヨネット機構等により電池ホルダ２０に装着する。該電池カバー１に装着された電池１１を交換する必要が生じた場合、まず該電池カバー１を該電池ホルダ２０から離脱させ、次に該電池カバー１から該電池１１を図３に示したような方法で取り出せばよい。
【００２４】
また、電池ホルダ２０の内部には少なくとも２つの端子２１及び２２が配設され、それぞれ図示しないリード線で図示しない液晶表示素子や発光ダイオード等の被作動物に結線されており、電池１１により電力が該被作動物に供給されるようになっている。端子２１及び２２はいずれも電池カバー１が装着される際に邪魔とならないよう偏平状に形成され、端子２１は、電池カバー１が装着された場合、該電池カバー１の外壁にＵ字状に配設された端子３の弧状部分と当接できる位置に配設されている。
なお、電池カバー１の底部は、断面台形状の中心軸から放射線状に延びるリブから形成されるものに限らず、円柱状、ボタン状、截頭円錐体など、電池底面の中心部を局部的に支える突起状のもので形成されることにより同様の作用効果を奏することは、当業者にとり自明であろう。
【００２５】
【発明の効果】
以上説明したように、本発明の電池カバー及び該電池カバーを用いた電池収納ケースによれば、電池交換を行うに際し容易に電池を取り出すことができるようになる。
【図面の簡単な説明】
【図１】図１は本発明の第１の実施形態である電池カバーの平面図である。
【図２】図２は図１の電池カバーの断面図であり、図２（Ａ）は図１のＡ−Ａ線断面図、図２（Ｂ）は電池を装着した状態の同じくＡ−Ａ線概略断面図である。
【図３】図３は、電池上面一端が指により押圧された状態を示す図１のＡ−Ａ線断面図である。
【図４】図４は本発明の電池収納ケースで使用する電池ホルダ２０の一態様を示す図であり、図４（Ａ）は平面図、図４（Ｂ）は図４（Ａ）のＡ−Ａ線断面図である。
【図５】図５は、従来の切り欠き構造を有する電池カバーを備えた電池ホルダの分解斜視図である。
【符号の説明】
１  電池カバー
２  筒状体
３  端子
４  横断面が台形の底部
５  中心軸
６  板状体
７  隙間
１１  電池
１２  リブの角部
２０  電池ホルダ
２１、２２  端子
【図１】
2004311298.tif 000003
【図２】
2004311298.tif 000004
【図３】
2004311298.tif 000005
【図４】
2004311298.tif 000006
【図５】
2004311298.tif 000007